(57)【要約】【課題】著作物の作者や管理者自身で著作物の運用・管理を容易に行うことができる著作物管理運用システムを提供することである。【解決手段】著作物を公開するための登録情報に基づいて著作物を所定のデジタルデータに変換してコンテンツ・データを生成するコンテンツ生成手段と、コンテンツ生成手段で生成したコンテンツ・データを蓄積して管理するコンテンツ蓄積管理手段と、コンテンツ生成手段で生成したコンテンツ・データをウェブサイトで公開するためのコンテンツ公開手段と、コンテンツ公開手段で公開しているコンテンツ・データに対して第１の情報機器からのアクセスがあると、このアクセス情報をコンテンツ・データに応じて登録してある第２の情報機器に転送するアクセス情報転送手段と、第２の情報機器からコンテンツ・データの制御情報を受信すると、この制御情報に基づいて該当のコンテンツ・データに関する制御を行うコンテンツ制御手段とを備える著作物管理運用システム。【選択図】  図２
2004185393.tif 000002
【特許請求の範囲】
【請求項１】
著作物を公開するための登録情報に基づいて前記著作物を所定のデジタルデータに変換してコンテンツ・データを生成するコンテンツ生成手段と、
前記コンテンツ生成手段で生成したコンテンツ・データを蓄積して管理するコンテンツ蓄積管理手段と、
前記コンテンツ生成手段で生成したコンテンツ・データをウェブサイトで公開するためのコンテンツ公開手段と、
前記コンテンツ公開手段で公開しているコンテンツ・データに対して第１の情報機器からのアクセスがあると、該アクセス情報を前記コンテンツ・データに応じて登録してある第２の情報機器に転送するアクセス情報転送手段と、
前記第２の情報機器からコンテンツ・データの制御情報を受信すると、該制御情報に基づいて該当のコンテンツ・データに関する制御を行うコンテンツ制御手段と、
を備えていること
を特徴とする著作物管理運用システム。
【請求項２】
前記コンテンツ生成手段は、前記デジタルデータに著作権保護処理を施す機能を備えていること
を特徴とする請求項１に記載の著作物管理運用システム。
【請求項３】
前記コンテンツ制御手段は、前記第２の情報機器からの制御情報に従い、前記コンテンツ公開手段で公開しているコンテンツ・データの公開を中止すること
を特徴とする請求項１に記載の著作物管理運用システム。
【請求項４】
前記コンテンツ制御手段は、前記第２の情報機器からの制御情報に従い、前記コンテンツ公開手段で公開しているコンテンツ・データを前記コンテンツ蓄積管理手段にある別のコンテンツ・データに交換すること
を特徴とする請求項１に記載の著作物管理運用システム。
【請求項５】
前記コンテンツ制御手段は、前記第２の情報機器からの制御情報に従い、前記第１の情報機器に対して前記コンテンツ蓄積管理手段に蓄積してあるコンテンツ・データを送出すること
を特徴とする請求項１に記載の著作物管理運用システム。
【請求項６】
前記コンテンツ制御手段は、前記第２の情報機器からの制御情報に従い、前記コンテンツ蓄積管理手段に蓄積してあるコンテンツ・データを記録媒体に出力し、該出力した記録媒体の発送処理を行うこと
を特徴とする請求項１に記載の著作物管理運用システム。
【請求項７】
前記コンテンツ制御手段は、前記第２の情報機器からの制御情報に従い、前記コンテンツ蓄積管理手段に蓄積してあるコンテンツ・データを印刷出力し、該印刷出力したコンテンツ・データの発送処理を行うこと
を特徴とする請求項１に記載の著作物管理運用システム。
【請求項８】
前記コンテンツ制御手段は、前記第２の情報機器からの制御情報に従い、前記第１の情報機器との間で該当するコンテンツ・データに関する決済処理を行うこと
を特徴とする請求項１に記載の著作物管理運用システム。
【発明の詳細な説明】
【０００１】
【発明の属する技術分野】
本発明は、著作物管理運用システムに関するものである。詳しくは、作者自身で著作物の運用・管理を容易に行うことができる著作物管理運用システムに関するものである。
【０００２】
【従来の技術】
従来より、全国に日曜画家と呼ばれる人や、書籍、イラスト、アニメ、工芸、詩、俳句、文学や企画・アイデアなどの著作物に関するクリエータなど、職業としてではなく、これらの著作物を作成している人が多数存在している。
例えば、日曜画家はどこかの美術団体に所属し、そこの指導を受けて展示会に出展したり、ウェブサイトなどで作成した著作物を公開している。
【０００３】
しかしながら、日曜画家などは何処かの美術団体に所属し、そこの指導を受けないと、展示会に出展できなかったり、出版物の場合は、前評判を調査したり、自叙伝など少ない数の出版物を出版する場合でもそれなりの費用が掛かる、など作者の多くは、作品を発表する手段が限られており、費用もかさむことから、自分の意思だけで自分の作品を公表することは難しい。
【０００４】
そこで、インターネットなどを利用して著作物を公開し、公開した著作物の交付に関連して所定の市場調査処理を行うことができるシステム等が考案されている（例えば、特許文献１参照）。
【０００５】
【特許文献１】
特開２００２−３２４１５０号公報（第３−４頁、図１）
【０００６】
【発明が解決しようとする課題】
しかしながら、これらの著作物を発表するだけでなく、作者自身が著作物を売買したり、管理したりするのが困難であるという問題を有している。
【０００７】
従って、著作物の公開や販売など著作物の管理・運用を作者自身で容易に行うことができるようにすること、に解決しなければならない課題を有する。
【０００８】
【課題を解決するための手段】
前記課題を解決するため、本発明に係る著作物管理運用システムは次のような構成にすることである。
【０００９】
（１）著作物を公開するための登録情報に基づいて前記著作物を所定のデジタルデータに変換してコンテンツ・データを生成するコンテンツ生成手段と、前記コンテンツ生成手段で生成したコンテンツ・データを蓄積して管理するコンテンツ蓄積管理手段と、前記コンテンツ生成手段で生成したコンテンツ・データをウェブサイトで公開するためのコンテンツ公開手段と、前記コンテンツ公開手段で公開しているコンテンツ・データに対して第１の情報機器からのアクセスがあると、該アクセス情報を前記コンテンツ・データに応じて登録してある第２の情報機器に転送するアクセス情報転送手段と、前記第２の情報機器からコンテンツ・データの制御情報を受信すると、該制御情報に基づいて該当のコンテンツ・データに関する制御を行うコンテンツ制御手段と、を備えていることを特徴とする著作物管理運用システム。
（２）前記コンテンツ生成手段は、前記デジタルデータに著作権保護処理を施す機能を備えていることを特徴とする（１）に記載の著作物管理運用システム。
（３）前記コンテンツ制御手段は、前記第２の情報機器からの制御情報に従い、前記コンテンツ公開手段で公開しているコンテンツ・データの公開を中止することを特徴とする（１）に記載の著作物管理運用システム。
（４）前記コンテンツ制御手段は、前記第２の情報機器からの制御情報に従い、前記コンテンツ公開手段で公開しているコンテンツ・データを前記コンテンツ蓄積管理手段にある別のコンテンツ・データに交換することを特徴とする（１）に記載の著作物管理運用システム。
（５）前記コンテンツ制御手段は、前記第２の情報機器からの制御情報に従い、前記第１の情報機器に対して前記コンテンツ蓄積管理手段に蓄積してあるコンテンツ・データを送出することを特徴とする（１）に記載の著作物管理運用システム。
（６）前記コンテンツ制御手段は、前記第２の情報機器からの制御情報に従い、前記コンテンツ蓄積管理手段に蓄積してあるコンテンツ・データを記録媒体に出力し、該出力した記録媒体の発送処理を行うことを特徴とする（１）に記載の著作物管理運用システム。
（７）前記コンテンツ制御手段は、前記第２の情報機器からの制御情報に従い、前記コンテンツ蓄積管理手段に蓄積してあるコンテンツ・データを印刷出力し、該印刷出力したコンテンツ・データの発送処理を行うことを特徴とする（１）に記載の著作物管理運用システム。
（８）前記コンテンツ制御手段は、前記第２の情報機器からの制御情報に従い、前記第１の情報機器との間で該当するコンテンツ・データに関する決済処理を行うことを特徴とする（１）に記載の著作物管理運用システム。
【００１０】
このような著作物管理運用システムの構成によって、著作物を公開するための登録情報を著作物の作者や管理者が登録すると、この登録情報に基づいて著作物を所定のデジタルデータに変換してコンテンツ・データを生成し、生成したコンテンツ・データを蓄積管理すると共に、ウェブサイトで公開する。
【００１１】
そして、第１の情報機器によってウェブサイトに公開しているコンテンツ・データに対する閲覧、販売／ダウンロード希望の要求などのアクセスがあると、このアクセス情報をコンテンツ・データに応じて登録してある著作物の作者や管理者などが有する第２の情報機器に転送し、第２の情報機器から送られてくるコンテンツ・データの制御情報を受信すると、この制御情報に基づいて該当のコンテンツ・データに関する制御を行うので、作者や管理者自身によって著作物の運用・管理を行うことができるようになる。
【００１２】
【発明の実施の形態】
次に、本発明に係る著作物管理運用システムの実施の形態を図面を参照して説明する。但し、図面は専ら解説のためのものであって、本発明の技術的範囲を限定するものではない。
【００１３】
図１は、本願発明の著作物管理運用システムの実施例であり、著作物管理運用システム１０と、情報機器２０と、端末機器３０と、ＥＣシステム４０などから構成される。
【００１４】
著作物管理運用システム１０は、図２に例示したブロック図のように、ＣＴＩ（コンピュータ・テレフォニ・インテグレーション）部１０１、ウェブサーバ１０２、データ転送部１０３、コンテンツ作成部１０４、著作物データベース１０５、課金処理部１０６、コンテンツ出力部１０７、制御部１０８などから構成され、制御部１０８を介してそれぞれが連携して動作するシステムである。
【００１５】
ＣＴＩ部１０１は、ＣＴＩ（Ｃｏｍｐｕｔｅｒ  Ｔｅｌｅｐｈｏｎｙ  Ｉｎｔｅｇｒａｔｉｏｎ；コンピュータ・テレフォニ・インテグレーション）機能を備えており、情報機器２０や端末機器３０と通信ネットワークを介して接続され、電話、ファクシミリ（以下、ＦＡＸ）、音声情報、データ、動画、電子メールなどの情報をコンピュータシステムに統合し、データベースなどと連携して動作し、ユーザサポートなどを提供するものである。また、情報機器２０や端末機器３０からの情報を他のシステムに転送したり、登録されているユーザに対してＦＡＸや電子メールなどによってアンケートなどの情報を送付する機能なども備えている。
【００１６】
ウェブサーバ１０２は、情報機器２０や端末機器３０と通信ネットワークを介して接続され、著作物データベース１０５に登録されているコンテンツをネットワーク上に公開し、端末機器３０から公開したコンテンツに対するアクセスがあると、このアクセス情報（問い合せ、購入／ＤＬ要求）をＣＴＩ部１０１を介してに情報機器２０に送る。また、端末機器３０からアクセスの履歴情報を蓄積・管理し、ＣＴＩ部１０１を介して作者の情報機器２０に定期的に送出する、若しくは、作者の情報機器２０からの要求があると送出する。
【００１７】
更に、ウェブサーバ１０２は、アクセスしてくる端末機器３０が公開しているコンテンツに対して評価を行い、この評価結果をグラフなどで視覚化して表示することもできる。例えば、公開しているコンテンツに対して所定の評価基準を設定し、アクセスしてくる端末機器３０が設定された評価基準に基づいて点数やランクなどを入力できるようにしておき、入力された点数やランクを適宜集計して、グラフ（例えば、散布図）などにより視覚化して表示する。
【００１８】
データ転送部１０３は、制御部１０８に従い、作者の情報機器２０から送られてくる著作物データを受信してコンテンツ作成部１０４に送る。また、著作物データベース１０５に登録されているコンテンツを所定の端末機器３０に送出する。
【００１９】
コンテンツ作成部１０４は、データ転送部１０３から送られてくる著作物データや郵送などによって送られてくる著作物データを取り込んで所定のデジタルデータに変換し、変換したデジタルデータに対して著作権保護処理、例えば、電子透かしなどの処理を施したコンテンツを生成して著作物データベース１０５に登録する。なお、著作権保護処理は電子透かし以外の方法によって処理することも可能であることは勿論のことである。また、バナー広告などを作成し、生成したコンテンツに関連付けすることもできる。
【００２０】
著作物データベース１０５は、情報機器２０から送られてくる受信した登録依頼データに基づいて、コンテンツ作成部１０４で所定のデジタルデータに変換された著作物、即ち、コンテンツを蓄積・管理する。また、情報機器２０からの販売／ダウンロード許可情報に従って、データ転送部１０３やコンテンツ出力部１０７へ該当コンテンツを送出する。また、情報機器２０からのコンテンツ制御情報に従って、ウェブサイト１０３で公開しているコンテンツの入れ換え、公開中止などを行う。
【００２１】
課金処理部１０６は、例えば、クレジット会社等の決済処理システム４０と接続され、情報機器２０からの販売／ダウンロード許可情報に従って、課金処理を行い、決裁処理システム４０の決済処理が完了すると、決済完了情報をメール処理部１０２やＣＴＩ部１０１を介してユーザの端末機器３０に送出する。
【００２２】
コンテンツ出力部１０７は、情報機器２０からの販売／ダウンロード許可情報に従って、著作物データベース１０５に蓄積されている該当コンテンツを、例えば、ＣＤ−ＲＯＭ（Ｃｏｍｐａｃｔ  Ｄｉｓｋ  Ｒｅａｄ  Ｏｎｌｙ  Ｍｅｍｏｒｙ）などの記録媒体などに記録したり、印刷出力したりする。また、これらの発送手配などの発送処理を行い、その処理結果を情報機器２０や端末機器３０にＣＴＩ部１０を介して送出する。
【００２３】
制御部１０８は、システム内の各部１０１〜１０７と接続され、情報機器２０や端末機器３０との間で通信ネットワークを介して情報をやり取りし、これらの情報に従って、著作物の登録受付、デジタル変換、著作権保護処理などをおこなってコンテンツ・データを生成してデータベースに登録し、コンテンツ・データの公開や販売／ダウンロード、発送処理等を行うために各部１０１〜１０７の制御を行う。
【００２４】
情報機器２０は、著作物の作者又は著作物の管理者の電話機、ＦＡＸ機器、パーソナルコンピュータ（以降、ＰＣと云う）など機器であり、著作物の登録依頼、著作物の送付、閲覧情報や購入／ダウンロード要求情報、発送情報の受信、販売／ダウンロード許可情報の通知、など、通信ネットワークを介して著作物管理運用システム１０とのやり取りを行う機器である。
【００２５】
端末機器３０は、ウェブサイト１０３で公開されている著作物を閲覧するウェブブラウザなどの閲覧手段、又は著作物の購入／ダウンロード要求を送信することができる行うことができる手段を備えたＰＣ、携帯電話機、ＦＡＸ機器、電話機などの機器であり、これら以外の機器であってもよいことは勿論のことである。
【００２６】
ＥＣシステム４０は、電子商取引（電子決済）に関するシステムであり、例えば、クレジット会社などと通信回線で結び、利用限度額やカードの有効性のチェックを行うオンラインクレジット情報サービスを行うシステムや、音声（電話回線）／ＦＡＸ／パソコンなどにより企業−金融機関（ファームバンキング）及び個人−金融機関（ホームバンキング）などの間で行われる入金通知、自動引き落とし通知などの連絡業務や残高照会、取引照会などの照会要求等の応答業務を自動化したシステムなどである。
【００２７】
次に、上述したような構成による著作物管理運用システムの動作について図３を参照しながら説明する。
【００２８】
（１）著作物の登録
作者は、電話機、ＦＡＸ機器、ＰＣ、携帯電話機などの情報機器２０によって著作物管理運用システム１０に接続し、所定のフォーマットに従って入力（記入）した著作物の登録依頼データを送信する。
【００２９】
著作物管理運用システム１０は、ＣＴＩ部１０１で電話、ＦＡＸ、電子メールなどにより送られてくる登録依頼データやウェブサーバ１０２を介して入力される登録依頼データを受信すると、登録依頼データの受領したことを示す依頼受領データをＣＴＩ部１０１を介して電子メール／ＦＡＸ／ＴＥＬなど所定の手段で作者の情報機器２０に返送する。
【００３０】
情報機器２０で依頼受領データを受信した作者は、著作物管理運用システム１０に対して公開したい著作物を送付する。
【００３１】
著作物とは、著作物文芸・学術に関する著述のほか、音楽・絵画・彫刻・建築・写真などの作品であり、デジタルデータに変換されているものであっても、変換されていないものであってもよい。例えば、絵画・彫刻・建築などの作品は、写真や映像として撮影するなど作品を公開（紹介）できる形態として送付する。なお、デジタルデータに変換可能であれば、これら以外のものであってもよいことは勿論のことである。
【００３２】
また、著作物がデジタルデータである場合は、著作物管理運用システム１０のデータ転送部１０３（例えば、ＦＴＰ（Ｆｉｌｅ  Ｔｒａｎｓｆｅｒ  Ｐｒｏｔｏｃｏｌ）サーバ）に直接送信するか、電子メールで送信する。また、著作物がデジタルデータであるか否かにかかわらず郵送などによって送付してもよい。
【００３３】
（２）著作物のデジタル変換
著作物管理運用システム１０は、まず、ＣＴＩ部１０１で電子メールとして受信した著作物やデータ転送部１０３で受信した著作物をコンテンツ作成部１０４で所定の形式のデジタルデータに変換する。
【００３４】
また、デジタルデータ化されていない著作物は、一旦、スキャナなどの変換器や変換ソフトウェアなどによってデジタルデータに変換してからコンテンツ作成部１０４で取り込み、所定の形式のデジタルデータに変換する。
【００３５】
そして、コンテンツ作成部１０４で所定のデジタルデータに変換した著作物に電子透かしなどの著作権保護処理を施したコンテンツを生成する。なお、著作権保護処理は、電子透かし以外の方法によって処理することも可能であることは勿論のことである。また、バナー広告などを生成してコンテンツに付加するなどの処理を行うことも可能である。
【００３６】
（３）コンテンツの登録
次に、著作物管理運用システム１０は、コンテンツ作成部１０４で生成したコンテンツを著作物データベース１０５に記録・蓄積することによりコンテンツの登録を行う。
【００３７】
そして、著作物データベース１０５にコンテンツの登録が行われると、コンテンツの登録完了データを生成し、ＣＴＩ部１０１を介してこの登録完了データを電子メール／ＦＡＸ／ＴＥＬなどで作者の情報機器２０に通知する。
【００３８】
（４）コンテンツ確認
情報機器２０で登録完了データを受信した作者は、著作物管理運用システム１０のウェブサーバ１０２にアクセスし、著作物データベース１０５に登録されたコンテンツの確認を行う。若しくは、電子メール／ＦＡＸ／ＴＥＬで所定のフォーマットに従って入力（記入）したコンテンツの確認要求データを送信すると、著作物管理運用システム１０が登録されたコンテンツを電子メール／ＦＡＸ／ＴＥＬで返送するので、返送されたコンテンツの確認を行う。
【００３９】
コンテンツの確認を完了すると、作者は情報機器２０によって所定のフォーマットに従って入力（記入）したコンテンツの公開申請データを著作物管理運用システム１０に送信する。
【００４０】
（５）コンテンツ公開
著作物管理運用システム１０は、情報機器２０からの公開申請データをＣＴＩ部１０１又はウェブサーバ１０２で受信すると、著作物データベース１０５に登録してある該当のコンテンツをウェブサーバ１０２にアップロードすることによってネットワーク上に公開する。
【００４１】
（６）コンテンツ管理・運用
著作物管理運用システム１０では、ウェブサーバ１０２によってネットワーク上に公開されたコンテンツに対してアクセスがあると、このアクセスデータ（例えば、コンテンツの閲覧状況などを示す閲覧データ、コンテンツの購入やダウンロードを要求する販売要求データやダウンロード要求データ、電子メール／電話／ＦＡＸなどによる問い合わせデータなど）を管理し、リアルタイム又は定期的にアクセスデータを作者の情報機器２０に通知する。なお、アクセスデータを指定した別の機器へ転送することによって、作品の管理・運用を他に委託することも可能となる。
【００４２】
また、作者（又は管理者）は、情報機器２０によって所定のフォーマットのコンテンツ制御データを著作物管理運用システム１０に送ることにより、ウェブサーバ１０２でネットワーク上に公開されたコンテンツの入れ替え、公開中止／再開、販売許可、ダウンロード許可など、コンテンツの制御を行ったり、問い合せ情報に対する回答情報を送ることもできる。
【００４３】
例えば、著作物管理運用システム１０のウェブサーバ１０２にアクセスし、公開されているコンテンツを閲覧したユーザが端末機器３０によって、所望のコンテンツを購入又はダウンロードを行いたい場合、所定のフォーマットに従った販売要求データ／ダウンロード要求データを著作物管理運用システム１０に対して送信する。
【００４４】
著作物管理運用システム１０は、ユーザの端末機器３０からの販売要求データ／ダウンロード要求データを作者（又は管理者）の情報機器２０に転送し、作者（又は管理者）の情報機器２０から販売許可データ／ダウンロード許可データを受信すると所定の販売処理／ダウンロード処理を行う。
【００４５】
コンテンツの販売処理を行う場合、ユーザは端末機器３０で所定のユーザ情報（住所、氏名、電話番号、クレジットカード番号など）を著作物管理運用システム１０に送付する。
【００４６】
著作物管理運用システム１０の課金処理部１０６は、ユーザ情報を受信すると、例えば、クレジット会社などと通信回線で結ばれたＥＣシステム４０との間で決済処理を行う。
【００４７】
そして、決済処理が完了するとＣＴＩ部１０１を介して作者（又は管理者）の情報機器２０及びユーザの端末機器３０に対して決済完了データを通知すると共に、ユーザの端末機器３０に対して該当するコンテンツのダウンロード許可情報を通知する。
【００４８】
なお、決済処理は、コンテンツや作品を発送後、受取り後などに行うようにしてもよく、支払い方法は、代金引換、金融機関などからの代金を振込むなど他の方法でもよいことは勿論のことである。
【００４９】
ユーザは、端末機器３０によってコンテンツのダウンロード許可情報を確認すると、ウェブサーバ１０２にアクセスして該当するコンテンツのダウンロードを行う。
【００５０】
著作物管理運用システム１０は、ウェブサーバ１０２又はデータ転送部１０３から該当するコンテンツの送出（ダウンロード）が完了すると、作者（又は管理者）の情報機器２０にダウンロード完了情報を通知する。
【００５１】
もしくは、コンテンツ出力部１０７からＣＤ−Ｒなどの記録媒体にコンテンツを出力（記録）したり、コンテンツを印刷するなどの出力処理を行って、出力したコンテンツの発送処理を行い、発送処理が完了すると発送情報を作者（又は管理者）の情報機器２０及びユーザの端末機器３０に通知し、出力したコンテンツを郵送などによって送付する。
【００５２】
著作物管理運用システム１０は、コンテンツのダウンロードの完了する、又はコンテンツや著作物の発送処理が完了すると、ウェブサーバ１０２で公開されているコンテンツの販売個数や売約済みなどの表示を行ったり、公開中止など所定の処理を行う。
【００５３】
なお、デジタルデータに変換できない著作物やデジタルデータに変換しない著作物は、作者（又は管理者）が情報機器２０で販売要求データや決済完了データの受信を確認して、ユーザに直接発送を行うことで販売をコントロールできる。
【００５４】
また、著作物管理運用システム１０にユーザ登録を行っているユーザに対して電子メールなどによるコンテンツ紹介などの情報を送付したり、アンケートなどを送付してその結果を作者（又は管理者）の情報機器２０に転送することでマーケティングなどを行うことも可能である。
【００５５】
更に、データベース１０５に登録されている作者（希望者のみ）のコンテンツをＣＤ−ＲＯＭなどの記録媒体に出力して公立図書館に寄贈したりすることで、公開の場を拡げることも可能である。
【００５６】
【発明の効果】
以上説明したような著作物管理運用システムにより、著作物の作者自身が個人で作品（著作物）を公開したり、販売するなど、著作物の管理・運用が容易にできるようになるという優れた効果を奏するものである。また、作品のデジタル変換や著作権保護のための処理などの手間を省くこともできる。
【００５７】
デジタルデータに変換できない著作物の場合でも画像や映像などによって公開して販売することも可能となり、作品の発送も自分自身で行うこともできるし、他に委託することもできる。
【００５８】
また、ウェブサイトに公開しているコンテンツに対する閲覧情報を得たり、登録しているユーザにアンケートを送ることもできるので、コンテンツに対する評価を得ることもできるようになる。
【図面の簡単な説明】
【図１】本発明に係る著作物管理運用システムの利用形態の概略構成を示した構成図である。
【図２】本発明に係る著作物管理運用システムの構成例を示したブロック図である。
【図３】図１に示した著作物管理運用システムの構成における動作の一例を示すための説明図である。
【符号の説明】
１０；著作物管理運用システム、２０；情報機器（作者／管理者）、３０；端末機器（購入／ダウンロード希望者、閲覧者）、４０；ＥＣシステム
１０１；ＣＴＩ（Ｃｏｍｐｕｔｅｒ  Ｔｅｌｅｐｈｏｎｙ  Ｉｎｔｅｇｒａｔｉｏｎ）部、１０２；ウェブサーバ、１０３；データ転送部、１０４；コンテンツ作成部、１０５；著作物データベース、１０６；課金処理部、１０７；コンテンツ出力部、１０８；制御部
【図１】
2004185393.tif 000003
【図２】
2004185393.tif 000004
【図３】
2004185393.tif 000005